(57)【特許請求の範囲】
【請求項１】
フロントパネルに形成されたディスク挿入口及びカード挿入口と、
前記ディスク挿入口から挿入されたディスク状記録媒体にデータを記録及び／又は再生するディスクドライブユニットと、
前記カード挿入口から挿入されたカード状記録媒体にデータを記録及び／又は再生するカードドライブユニットと、
上端側に配置された回転支点によって前記フロントパネルの内側に回転自在に取り付けられて、前記カード挿入口を内側から回転方式で開閉する開閉扉とを備え、
前記開閉扉が前記フロントパネルに対して前方下方に回転復帰して前記カード挿入口を内側から閉塞した時には、その開閉扉の回転半径が大きく設定され、前記開閉扉が前記カード挿入口から挿入される前記カード状記録媒体によって押されて前記フロントパネルに対して後方上方に回転されて前記カード挿入口を開放する時には、その開閉扉の回転半径が小さくなるように変更される回転半径を自動変更する回転半径自動変更機構を備えた
ことを特徴とするディスクドライブ装置。
【請求項２】
前記回転半径自動変更機構が、前記フロントパネルと前記開閉扉との間に形成されて、前方下方位置と後方上方位置との間で傾斜されたカム孔と、そのカム孔内で相対的に移動される支点ピンとによって構成された
ことを特徴とする請求項１に記載のディスクドライブ装置。
【請求項３】
前記回転半径自動変更機構が、前記開閉扉の前面に形成された前方下方に向く分力発生用斜面であって、前記カード挿入口から挿入される前記カード状記録媒体で押されることによって、その開閉扉に後方上方への押上げ分力を発生させる分力発生用斜面を備えた
ことを特徴とする請求項２に記載のディスクドライブ装置。
【請求項４】
前記回転半径自動変更機構が、コイル部が前記支点ピンの外周に挿入され、固定端が前記フロントパネルの背面部に押圧され、可動端が前記開閉扉の背面部で、かつ、前記カム孔の近傍位置に押圧された捩りコイルばねを備えた
ことを特徴とする請求項２に記載のディスクドライブ装置。
【発明の詳細な説明】
【０００１】
【発明の属する技術分野】
本発明は、ディスク状記録媒体とカード状記録媒体にそれぞれデータを記録及び／又は再生することができるディスクドライブ装置に属するものであって、特に、フロントパネルのカード挿入口を開閉する開閉扉の技術分野に属するものである。
【０００２】
【従来の技術】
現在市販されているＣＤ−ＲＯＭ、ＤＶＤ−ＲＯＭ、ＣＤ−Ｒ／ＲＷ等の光ディスクや光磁気ディスク等のディスク状記録媒体にデータを記録及び／又は再生するディスクドライブ装置には、メモリカード等のカード状記録媒体にデータを記録及び／又は再生するためのカードドライブユニットは付設されていない。
【０００３】
そこで、本発明の発明者（出願人）は、特開２００１−２２８９９号公報にて公開されているような、光ディスク等のディスク状記録媒体にデータを記録及び／又は再生するディスクドライブユニットと、メモリカード等のカード状記録媒体にデータを記録及び／又は再生するカードドライブユニットとの２種類のドライブユニットを搭載したトレー方式の高機能ディスクドライブ装置を既に出願している。
【０００４】
この際、光ディスク等をトレーによって出し入れするようにフロントパネルに開口されているトレー出入口であるディスク挿入口は、ディスクローディング完了状態で、トレー自身のフロントパネル部で閉塞することができるので、このディスク挿入口には防塵用の開閉扉を設置する必要がない。
しかし、メモリカード等を抜き差しするようにフロントパネルに開口されたカード挿入口には、内開き方式の防塵用の開閉扉を設置することが望ましい。
【０００５】
【発明が解決しようとする課題】
この際、この種ディスクドライブ装置のフロントパネルの内側に存在するスペースは既に非常に小さくなっていて、カード挿入口を内側から開閉する内開き方式の開閉扉を設置すること自体、決して容易ではない。
その上、例えば、上端側に配置された支点ピンを中心に開閉扉を前後方向に開閉するような単純な開閉構造を採用した場合には、その開閉扉の下端部分が支点ピンを中心として単純に円運動するので、その開閉扉の下端部分がフロントパネルの内側に配置されているプリント配線基板等の障害物と干渉し易い。そして、その干渉を避けるためには、その開閉扉の上下方向の長さを短くする等して、下端部分の回転半径を小さくしなければならず、その結果、開閉扉によるカード挿入口の密封性が損われてしまう等の矛盾が生じる問題がある。
【０００６】
本発明は、上記の問題を解決するためになされたものであって、フロントパネルのカード挿入口を内側から開閉する開閉扉を狭いスペース内でスムースに開閉させることができ、しかも、その開閉扉によるカード挿入口の密封性も十分に確保することができるようにしたディスクドライブ装置を提供することを目的としている。
【０００７】
【課題を解決するための手段】
上記の目的を達成するための本発明のディスクドライブ装置は、フロントパネルに形成されたディスク挿入口及びカード挿入口と、前記ディスク挿入口から挿入されたディスク状記録媒体にデータを記録及び／又は再生するディスクドライブユニットと、前記カード挿入口から挿入されたカード状記録媒体にデータを記録及び／又は再生するカードドライブユニットと、上端側に配置された回転支点によって前記フロントパネルの内側に回転自在に取り付けられて、前記カード挿入口を内側から回転方式で開閉する開閉扉とを備え、前記開閉扉が前記フロントパネルに対して前方下方に回転復帰して前記カード挿入口を内側から閉塞した時には、その開閉扉の回転半径が大きく設定され、前記開閉扉が前記カード挿入口から挿入される前記カード状記録媒体によって押されて前記フロントパネルに対して後方上方に回転されて前記カード挿入口を開放する時には、その開閉扉の回転半径が小さくなるように変更される回転半径を自動変更する回転半径自動変更機構を備えたものである。
【０００８】
上記のように構成された本発明のディスクドライブ装置は、フロントパネルのカード挿入口を内側から開閉する開閉扉に回転半径自動変更機構が備えられていて、開閉扉がカード挿入口を閉塞した時には、その開閉扉の回転半径が大きく設定されていて、開閉扉がカード状記録媒体によって押されて後方上方に回転される時には、その開閉扉の回転半径が小さくなるように変更されるので、開閉扉が開放される時に、その開閉扉がプリント配線基板等の障害物と干渉され難い。
【０００９】
【発明の実施の形態】
以下、本発明を適用したディスクドライブ装置の実施の形態を図面を参照して、以下の順序で説明する。
（１）・・・  ディスクドライブ装置の概要説明（図１１、図１２及び図１６）
（２）・・・  メモリカードの説明（図１５）
（３）・・・  カード挿入口の開閉扉に関する説明（図１〜図１０）
（４）・・・  プリント配線基板の共通化に関する説明（図７、図１１〜図２０）
【００１０】
（１）・・・  ディスクドライブ装置の概要説明
まず、図１１、図１２及び図１６によって、ディスクドライブ装置の概要について説明すると、このディスクドライブ装置１Ａは、ＣＤ−ＲＯＭ、ＤＶＤ−ＲＯＭ、ＣＤ−Ｒ／ＲＷ等の光ディスクや光磁気ディスク等のディスク状記録媒体であるディスク２にデータを記録及び／又は再生するディスクドライブユニット３と、ＰＣＭＣＩＡ(Personal Computer Memory Card International Association) 規格のＰＣカードや、スマートメディア（株式会社東芝の登録商標）、コンパクトフラッシュ（米国SanDisk Corporation の登録商標）、メモリスティック（ソニー株式会社の登録商標）等のカード状記録媒体であるメモリカード４にデータを記録及び／又は再生するカードドライブユニット５が搭載された両用タイプの高機能ディスクドライブ装置に構成されている。
【００１１】
そして、ディスクドライブユニット３は、ドライブ装置本体７のフロントパネル８の上部位置に沿って形成された横長開口であるディスク挿入口（トレー出入口）９から矢印ａ、ｂ方向に水平状に出し入れされるディスクトレー１０を有していて、このディスクトレー１０は合成樹脂等にて成形されたものであり、上面にディスク載置用凹所１１が形成された水平板形状のトレー本体１０ａと、そのトレー本体１０ａの前端に結合された垂直板形状で横長形状のフロントパネル部１０ｂとによって構成されている。
【００１２】
そして、ディスクドライブユニット３は、ディスクトレー１０の凹所１１内にディスク２を水平状に載置してドライブ装置本体７に矢印ａ方向から水平状にローディングして、ディスクトレー１０のフロントパネル部１０ｂでディスク挿入口９を閉塞する。
すると、このディスクローディング後に、ドライブ装置本体７内のシャーシ１２に搭載されているユニットベース１３が斜め下方に下降された下降位置（図示せず）から図１６に示す水平状態まで上昇された上昇位置まで矢印ｃ方向に上昇されて、ユニットベース１３に搭載されているスピンドルモータ１４及び光ピックアップや光磁気ピックアップ等のピックアップ１５が下降位置から上昇位置まで矢印ｃ方向に上昇される。そして、スピンドルモータ１４の上端のディスクテーブル１４ａがディスク２の中心孔ａに下方から嵌合して、このディスク２をディスクトレー１０の凹所１１の上方に浮上させ、ドライブ装置本体７内の天井位置に保持されているディスククランパー１６によってディスク２がディスクテーブル１４ａ上にチャッキングされる。
【００１３】
そして、ディスクテーブル１４ａ上にチャッキングされたディスク２の下面にピックアップ１５が近接されて、スピンドルモータ１４によりディスク２が定速で回転駆動されると共に、ピックアップ１５によってディスク２が中心からの法線方向に沿ってシークされて、ディスク２にデータの記録及び／又は再生が行われるように構成されている。
なお、ディスク２へのデータの記録及び／又は再生の終了後に後述するイジェクト釦２３によってイジェクトスイッチ２３ａが押される（ＯＮ）と、、ユニットベース１３によってスピンドルモータ１４及びピックアップ１５が上昇位置から下降位置へ矢印ｄ方向に下降され、ディスク２がディスククランパー１６の下方に離脱されて、ディスクトレー１０の凹所１１内に再び水平状に載置される。そして、ディスクトレー１０によってディスク２がディスク挿入口９からディスクドライブ装置本体７の外部へ矢印ｂ方向にイジェクトされる。
【００１４】
次に、図１１及び図１２に示すように、このディスクドライブ装置１Ａのフロントパネル８には、ディスク挿入口９の下部に沿って水平状の長孔であるカード挿入口１９、ボリューム２０、２つの発光ダイオードであるＬＥＤ（ＬＥＤレンズ）孔２１、２２、イジェクト釦２３及びヘッドホンジャック孔４等がほぼ横一列状に形成されている。そして、カード挿入口１９がほぼ左寄りの位置に配置され、ボリューム孔２０がほぼ中央位置に配置され、２つのＬＥＤ（ＬＥＤレンズ）孔２１、２２がカード挿入口１９とボリューム孔２０との間に配置され、ヘッドホンジャック孔２４とイジェクト釦２３が左右両側位置に配置されている。そして、ボリューム孔２０、２つのＬＥＤ（ＬＥＤレンズ）孔２１、２２及びヘッドホンジャック孔２４内にはそれぞれ後述するボリューム２６、２つのＬＥＤ（ＬＥＤレンズ）２７、２８及びヘッドホンジャック２９が露出されている。また、イジェクト釦２３の後方には後述するイジェクトスイッチ２３ａが組み込まれている。
【００１５】
そして、ドライブ装置本体７内のシャーシ１２の下部にプリント配線基板であるメイン基板３１が水平状に搭載されている。
この際、図１７に示すように、メイン基板３１にはディスクドライブユニット３の駆動回路３２、カードドライブユニット５の駆動回路３３、これら２つの駆動回路３２、３３を相互に制御して、ディスク２とメモリカード４との間でデータの送受信を行うコントロール回路３４等がマウント（実装）されている。そして、このメイン基板３１のフロントパネル８側の端部である前端縁３１ａ側の上部で、フロントパネル８のカード挿入口１９の後方位置にカードドライブユニット５のメモリカード差込み用コネクタ３７と、合成樹脂等によってほぼコ字状に成形された挿入ガイド３８がマウント（実装）されている。なお、このメイン基板３１の後端縁３１ｂの上部にはホストコンピュータに接続されるインターフェース３５がマウント（実装）されている。
【００１６】
そして、カードドライブユニット５は、メモリカード４がフロントパネル８のカード挿入口１９からドライブ装置本体７内のコネクタ３７に挿入ガイド３８を通して矢印ｅ方向に水平状に挿入された状態で、そのメモリカード４にデータの記録及び／又は再生を行うことになる。そして、このディスクドライブ装置１Ａでは、このメモリカード４のデータの記録及び／又は再生と、前述したディスクドライブユニット３によるディスクのデータの記録及び／又は再生とを同時に行うことによって、メモリカード４とディスク２との間でデータの送受信を行うことができる。従って、デジタルカメラやデジタルビデオカメラで撮影してメモリカード４に記録した写真データや動画データ或いは個人のデータや音楽データ等をメモリカード４とディスク２との間でコピーしたり、編集して記録することを容易に行うことができる。なお、メモリカード４はデータの記録及び／又は再生後にカード挿入口１９から矢印ｆ方向に抜き取ることになる。
【００１７】
（２）・・・  メモリカードの説明
次に、図１５の（Ａ）（Ｂ）によって、メモリカード４について説明すると、このメモリカード４は、ちょうど、嗜好品のガム形状に類似した扁平な長方体形状のほぼカード状に構成されている。そして、このメモリカード４の先端４ａの下面４ｂに電子機器への挿入及び抜取り方向である矢印ｅ、ｆ方向に対して直交する方向に等間隔に配置されたほぼ短冊形状の複数の端子４ｃが設けられていて、その複数の端子４ｃ間は薄い複数のリブ４ｄによって仕切られている。そして、複数の端子４ｃのうちの、左右両側の端子がアーム用端子に構成されて、他の複数の端子４ｃが信号用端子に構成されている。
【００１８】
そして、挿入方向（矢印ｅ方向）から見て、このメモリカード４の左側面であって、一方の側部である一方の側面４ｅの先端４ａには誤挿入防止用のＲ面４ｆが形成され、このメモリカード４の下面４ｂの先端４ａでＲ面４ｆの下部相当位置には誤挿入防止用の段差部４ｇが形成されている。そして、このメモリカード４の下面４ｂで、一方の側面４ｅの先端４ａ側寄りの位置には係止部であるほぼ半円形状のロック用凹部４ｈが形成されている。そして、このメモリカード４の下面４ｂで先端４ａ側寄りの位置にはライトプロテクタ４ｉが取り付けられていて、このメモリカード４の上下両面４ｊ、４ｂにはその後端４ｋを迂回するような浅い凹みであるラベル貼付けエリア４ｍが形成されている。
【００１９】
そして、前述したように、このメモリカード４をドライブ装置本体７内のコネクタ３７に矢印ｅ方向から差し込んだ時に、先端４ａの下面４ｂに配置されている複数の端子４ｃがそのコネクタ３７内の対応する複数の接続端子に接続されるように構成されている。
【００２０】
（３）・・・カード挿入口の開閉扉に関する説明
次に、図１〜図１０によって、フロントパネル８のカード挿入口１９を内側から開閉する内開き方式の開閉扉について説明する。
【００２１】
まず、図１〜図１０によって、一般的な開閉扉４１について説明すると、合成樹脂等で成形された一般的な開閉扉４１の場合には、その開閉扉４１の上端をフロントパネル８の内側に左右一対の支点ピン４２を介して前後方向である矢印ｇ、ｈ方向に回転自在に取り付ける。そして、支点ピン４２の外周に取り付けた捩りコイルばね４３の可動端４３ａを開閉扉４１の背面４１ａに当接し、その捩りコイルばね４３の固定端４３ｂをフロントパネル８の背面８ａに当接する。そして、その捩りコイルばね４３のばね力によって開閉扉４１を前方側である矢印ｈ方向に回転付勢して、その開閉扉４１をフロントパネル８の背面８ａに当接させることによって、その開閉扉４１でカード挿入口１９を内側から閉塞するように構成される。
【００２２】
そして、メモリカード４をカード挿入口１９から矢印ｅ方向に挿入して、カードドライブユニット５の挿入ガイド３８で案内しながらコネクタ３７内に矢印ｅ方向から挿入する際に、そのメモリカード４によって開閉扉４１を捩りコイルばね４３に抗して矢印ｇ方向に押し開き、メモリカード４をカード挿入口１９から矢印ｆ方向に抜き取ることによって開閉扉４１を捩りコイルばね４３によって矢印ｈ方向に回転復帰させるように構成される。
【００２３】
しかし、この一般的な開閉扉４１は、下端部分４１ｂが支点ピン４２を中心として一定の回転半径ｒ１０によって単純に円運動されるものであり、その下端部分４１ｂの回転軌跡ｃ１０内から障害物を排除しなければならない。
つまり、前述したように、ドライブ装置本体７内のシャーシ１２の下部位置に配置されているメイン基板３１の前端縁３１ａ上には、後述するように、ボリューム２６、２つのＬＥＤ２７、２８やヘッドホンジャック２９等の電子部品がマウントされる関係で、このメイン基板３１の前端縁３１ａは、本来ならば、図８に１点鎖線で示すようにフロントパネル８の背面８ａに近接させることが好ましい。
しかし、それでは、単純に円運動する一般的な開閉扉４１をフロントパネル８のカード挿入口１９の内側に設置することができなくなると言う問題が発生する。
【００２４】
一方、メイン基板３１の前端縁３１ａが開閉扉４１の下端部分４１ｂと干渉しないように、その前端縁３１ａを図８に実線で示すように、フロントパネル８の下端側の背面８ｂから大きな距離Ｌ１０だけ後退させるか、或いは図９及び図１０に示すように、開閉扉４１の下端部分４１ｂに対する逃げ用の大きな切欠き４４を開閉扉４１の前幅に亘って形成すると、図１０に１点鎖線で示すように、その大きな切欠き４４内には、後述するように、ボリューム２６等の電子部品は一切マウントすることができなくなると言う新たな問題を発生することになる。なお、図８〜図１０において、符号３１ａ′はフロントパネル８の下端側の背面８ｂに対するメイン基板３１の前端縁３１ａの理想とする接近位置を示している。
【００２５】
本発明のカード挿入口１９を閉塞する開閉扉は、上記の問題を解決することができるものである。
即ち、まず、図１〜図７に示すように、本発明の開閉扉５１は、上端部分５１ａに配置された後述する回転支点によってフロントパネル８の内側に回転自在に取り付けられて、その開閉扉５１の下端部分５１ｂが回転支点を中心に前後方向である矢印ｇ、ｈ方向に回転自在に構成されている。そして、回転付勢手段である捩りコイルばね５２によって前方下方である矢印ｈ方向に回転付勢されてカード挿入口１９を内側から閉塞するように構成されている。
【００２６】
そして、図１〜図３及び図４〜図６に示すように、メモリカード４がカード挿入口１９から挿入ガイド３８を通してコネクタ３７に矢印ｅ方向から挿入される時に、そのメモリカード４の先端４ａによって開閉扉５１が押されて、この開閉扉５１が捩りコイルばね５２に抗して後方上方である矢印ｇ方向に押し開かれる。また、メモリカード４がコネクタ３７から矢印ｆ方向に引き抜かれて、カード挿入口１９から矢印ｆ方向に抜き取られると、開閉扉５１が捩りコイルばね５２によって前方下方である矢印ｈ方向に回転復帰されて、カード挿入口１９を再び内側から閉塞するように構成されている。
【００２７】
この際、本発明の開閉扉５１は、メモリカード４の矢印ｆ方向への抜き取りによって、前方下方である矢印ｈ方向に回転復帰してカード挿入口１９を内側から閉塞した時には、その開閉扉５１の下端部分５１ｂの回転半径ｒ１が大きく設定されていて、開閉扉５１がカード挿入口１９から矢印ｅ方向に挿入されるメモリカード４によって押されて後方上方である矢印ｇ方向に回転されてカード挿入口１９を開放する時には、その開閉扉５１の下端部分５１ｂの回転半径ｒ２が小さくなるように回転半径ｒ１、ｒ２を自動変更する回転半径自動変更機構５４が備えられている。
【００２８】
そして、この回転半径自動変更機構５４は、図１〜図３に示すように、例えば、合成樹脂等にて成形された開閉扉５１の上端部分５１ａに形成された長孔であるカム孔５４であって、前方下方位置と後方上方位置との間で所定の角度θ、好ましくは４０°〜８０°であって、更に好ましくは４５°〜６０°に傾斜されたカム孔５４と、合成樹脂等にい成形されたフロントパネル８の内側に一体成形等にて形成された左右一対の同一軸心状の支点ピン５５を有し、これら左右一対の支点ピン５５にカム孔５４が相対的に移動自在に係合されて、開閉扉５１がこれら左右一対の支点ピン５５に対して図１に示す前方下方位置と図２に示す後方上方位置との間で斜め前後方向である矢印ｉ、ｊ方向にスライド自在に構成されている。
【００２９】
そして、捩りコイルばね５２のコイル部５２ａが支点ピン５５の外周に挿入されていて、その捩りコイルばね５２の可動端５２ｂが開閉扉５１の下端部分５１ｂの背面５１ｃで、カム孔５４の近傍位置に矢印ｈ方向から押圧され、固定端５２ｃがフロントパネル８の背面８ａで、支点ピン５５より高い位置に押圧されている。
更に、開閉扉５１の下端部分５１ｂ側の前面５１ｄに一体成形等にて凸型に形成されて、前方下方である矢印ｉ方向に向くように傾斜された分力発生用斜面５６がカード挿入口１９内に矢印ｈ方向から突出されている。
【００３０】
このように構成された回転半径自動変更機構５３によれば、まず、図１及び図４に示すように、開閉扉５１が捩りコイルばね５２によって矢印ｈ方向に回転復帰されて、カード挿入口１９を閉塞している状態では、捩りコイルばね５２の可動端５２ｂが開閉扉５１の背面５１ｃで、支点ピン５５の近傍位置を矢印ｈ方向に押圧することによって、この開閉扉５１全体が支点ピン５５に対してカム孔５４によって前方下方位置である矢印ｉ方向に斜めに下降移動されている。
【００３１】
従って、このカード挿入口１９の閉塞状態では、支点ピン５５が相対的にカム孔５４の上端部分５４ａ側へ移動されていて、開閉扉５１の回転支点Ｐ１はカム孔５４の上端部分５４ａへ偏位された状態になっている。これにより、開閉扉５１の下端部分５１ｂの回転支点Ｐ１を中心とする回転半径は大きな回転半径ｒ１に拡大された状態となっている。
【００３２】
一方、図１及び図４に示すように、カードドライブユニット５のコネクタ３７及び挿入ガイド３８が上部にマウントされているメイン基板３１の前端縁３１ａがフロントパネル８の下端側の背面８ｂに小さな距離Ｌ１に接近されているため、開閉扉５１の大きな回転半径ｒ１に拡大されている下端部分５１ｂの回転軌跡ｃ１はメイン基板３１の前端縁３１ａに干渉部分Ｘにて干渉される状態となっている。従って、仮に、開閉扉５１がそのまま回転支点Ｐ１を中心に矢印ｇ方向に回転されるのであれば、下端部分５１ｂがメイン基板３１の干渉部分Ｘに干渉されてしまい、その開閉扉５１の矢印ｇ方向への回転が不能状態となる。
【００３３】
しかし、後述するように、開閉扉５１が矢印ｇ方向に押し開かれる際には、その下端部分５１ｂが干渉部分Ｘに干渉されることなく回転することができるように構成されている。
【００３４】
そして開閉扉５１の前面５１ｄがフロントパネル８の背面８ａでカード挿入口１９の全外周に平行状に密着されて、そのカード挿入口１９が完全密封され、且つ、開閉扉５１の前面５１ｄに凸型に形成されている分力発生用斜面５６がそのカード挿入口１９内に突出されている。
【００３５】
次に、開閉扉５１の開放動作を説明すると、まず、図１及び図４に示すように、メモリカード４がカード挿入口１９に矢印ｅ方向から挿入されると、そのメモリカード４の前端４ａの上端部分が開閉扉５１の前面５１ｄの凸型の分力発生用斜面５６に矢印ｅ方向から当接される。
すると、図２及び図５に示すように、分力発生用斜面５６によって開閉扉５１を斜め後方上方に押し上げる分力Ｆが発生して、開閉扉５１がカム孔５４によって支点ピン５５に対して斜め上方である矢印ｉ方向に捩りコイルばね５２の可動端５２ｂに抗して斜めに上昇移動される。従って、開閉扉５１は下端部分５１ｂをメイン基板３１の干渉部分Ｘに何等干渉させることなく、矢印ｉ方向に斜めに上昇移動され、開閉扉５１の回転支点が図１に示したカム孔５４の上端部分５４ａの回転支点Ｐ１から図２に示すカム孔５４の下端部分５４ｂの回転支点Ｐ２へ相対的に偏位される。
【００３６】
つまり、開閉扉５１がカム孔５４によって支点ピン５５に対して矢印ｊ方向に斜めに上昇移動されることによって、その下端部分５１ｂをメイン基板３１の干渉部分Ｘに何等干渉させることなくメイン基板３１の上方位置まで斜めに引き上げることができる。そして、開閉扉５１の回転支点がカム孔５４の上端部分５４ａの回転支点Ｐ１から下端部分５４ｂの回転支点Ｐ２へ相対的に偏位されたことによって、メイン基板３１の上方位置まで斜めに引き上げられた下端部分５１ｂの回転半径が回転支点Ｐ１を中心とする大きな回転半径ｒ１から回転支点Ｐ２を中心とする小さな回転半径ｒ２に自動的に変更（縮小）されることになる。
【００３７】
そして、開閉扉５１のカム孔５４の下端部分５４ｂが支点ピン５５に矢印ｊ方向から当接された瞬間から、この開閉扉５１には支点ピン５５（回転支点Ｐ２）を中心とした矢印ｇ方向への回転力が作用されることになる。
従って、図３及び図６に示すように、引き続き矢印ｅ方向に挿入されるメモリカード４によって矢印ｅ方向に押される開閉扉５１は捩りコイルバネばね５２の可動端５２ｂに抗して支点ピン５５（回転支点Ｐ２）の周りに矢印ｇ方向に回転されて、その開閉扉５１が下端部分５１ｂをメイン基板３１の干渉部分Ｘに何等干渉させることなく、矢印ｇ方向に開放され、その開閉扉５１がメモリカード４の上面４ｊ上に乗り上げることになる。
そして、メモリカード４の先端４ａ部分が挿入ガイド２８を通してコネクタ３７内に矢印ｅ方向からスムーズに差し込まれることになる。
【００３８】
なお、メモリカード４をカード挿入口１９から矢印ｆ方向に抜き取る時には、上述した動作の逆動作となり、メモリカード４が図６及び図３に示す位置から図５及び図２に示す位置まで矢印ｆ方向に抜き取られる間は、開閉扉５１が捩りコイルばね５２の可動端５２ｂによって支点ピン（回転支点Ｐ２）を中心とする小さな回転半径ｃ２によって矢印ｈ方向に回転復帰されることになり、この間に、開閉扉５１の下端部分５１ｂがメイン基板３１の干渉部分Ｘに何等干渉されることはない。
そして、この後、図１及び図４に示すように、メモリカード４がカード挿入口１９外へ矢印ｆ方向に抜き取られる際に、捩りコイルばね５２の可動端５２ｂによって開閉扉５１のカム孔５４が支点ピン５５に対して矢印ｉ方向に斜めに下降移動されて、カード挿入口１９を内側から密封するが、この間にも、開閉扉５１の下端部分５１ｂがメイン基板３１の干渉部分Ｘに干渉されることはない。
【００３９】
なお、開閉扉５１をカム孔５４によって支点ピン５５に対して矢印ｉ、ｊ方向に斜めにスムーズに下降、上昇移動させるためには、捩りコイルばね５２の可動端５２ｂが開閉扉５１の背面５１ｃで、カム孔５４の近傍位置を矢印ｈ方向に押圧することが好ましい。仮に、可動端５２ｂが開閉扉５１のカム孔５４から下方に大きく離間された下端部分５１ｂを矢印ｇ方向に押圧する構造であると、可動端５２ｂのばね力をカム孔５４に効率良く伝達することができず、カム孔５４を支点ピン５５に対して矢印ｉ、ｊ方向にスムーズに移動させることができなくなる。
【００４０】
また、この実施の形態では、カム孔５４を開閉扉５１側に形成し、支点ピン５５をフロントパネル８側に形成したが、その逆に、支点ピン５５を開閉扉５１側に形成し、カム孔５５をフロントパネル８側に形成しても良い。また、カム孔５４を各種の形状に変更して、開閉扉５１の開閉移動軌跡を各種形状に変更することも可能である。
【００４１】
以上述べたように、本発明のディスクドライブ装置１Ａは、フロントパネル８の内側の狭いスペース内で、開閉扉５１を矢印ｇ、ｈ方向に開閉する際に、開閉扉５１の下端部分５１ｂがメイン基板３１の干渉部分Ｘと干渉しないように、回転半径自動変更機構５３によってその開閉扉５１の下端部分５１ｂの回転半径を大きい回転半径ｒ１と小さい回転半径ｒ２に自動的に変更させながら、開閉扉５１をスムーズに開閉させることができるように構成したので、メモリカード４で開閉扉５１をスムーズに押し開くようにして、そのメモリカード４をカード挿入口１９からカードドライブユニット５のコネクタ３７内にスムーズに挿入、排出することができる。
【００４２】
しかも、開閉扉５１がカード挿入口１９を内側から閉塞する時には、その開閉扉５１の下端部分５１ｂの回転半径を大きな回転半径ｒ１に設定した状態で、カード挿入口１９を閉塞することができるので、そのカード挿入口１９の全周を内側から確実に完全密封することができる。従って、ダスト（塵埃）がカード挿入口１９からカードドライブユニット５のコネクタ３７内に侵入して、内部の複数の接続端子に付着し、そのコネクタ３７内に挿入されたメモリカード４の複数の端子の接続不良が発生することを未然に防止することができる。そして、コネクタ３７の複数の接続端子に対するメモリカード４の複数の端子の接続状態を常に良好状態に保つことができて、メモリカード４に対するデータの記録及び／又は再生を常に正確に行え、メモリカード４とディスク２との間でのデータの送受信も常に正確に行える高品質のディスクドライブ装置１Ａを実現することができる。
【００４３】
（４）・・・  プリント配線基板の共通化に関する説明
次に、図７、図１１〜図２０によって、プリント配線基板であるメイン基板３１を、前述したように、ディスクドライブユニット３とカーードドライブユニット５の２つのドライブユニットを搭載されていて、図１１及び図１２に示されている高機能ディスクドライブ装置１Ａと、図１３及び図１４に示されているような、カードドライブユニット５が搭載されておらず、ディスクドライブユニット３のみが搭載されている低機能ディスクドライブ装置１Ｂとの２つのディスクドライブ装置１Ａ、１Ｂに対して共通化させるための技術について説明する。なお、メイン基板３１を以下に共通基板３１と記載する。
【００４４】
まず、前述したように、高機能ディスクドライブ装置１Ａのフロントパネル８のディスク挿入口９の下部位置には、図１１及び図１２に示すように、左から右の順に、ヘッドホンジャック２９、カード挿入口１９、２つのＬＥＤ（ＬＥＤレンズ）２７、２８、ボリューム２６及びイジェクト釦２３が一列状に配置されている。
一方、図１３及び図１４に示すように、低機能ディスクドライブ装置１Ｂのフロントパネル８のディスク挿入口９の下部位置には、当然カード挿入口１９は形成されておらず、左から右に順にヘッドホンジャック２９、ボリューム２６、１つのＬＥＤ２７及びイジェクト釦２３が一列状に配置されている。
【００４５】
そして、図１２に示されている高機能ディスクドライブ装置１Ａのフロントパネル８におけるカード挿入口１９のセンターＰ１１、ボリューム孔２０のセンターＰ１２、２つのＬＥＤ（ＬＥＤレンズ）孔２１、２２のセンターＰ１３、Ｐ１４、イジェクト釦２３のセンターＰ１５、ヘッドホンジャック孔２４のセンターＰ１６のうちのカード挿入口１９のセンターＰ１１に、図１４に示されている低機能ディスクドライブ装置１Ｂのフロントパネル８に形成されているボリューム孔２０のセンターＰ１２′が一致されている。そして、これら両方のディスクドライブ装置１Ａ、１Ｂのフロントパネル８に形成されている１つのＬＥＤ（ＬＥＤレンズ）孔２１のセンターＰ１３、イジェクト釦２３のセンターＰ１５及びヘッドホンジャック孔２４のセンターＰ１６は相互に一致されている。
【００４６】
そこで、共通基板３１は、１枚で、高機能ディスクドライブ装置１Ａと、低機能ディスクドライブ装置１Ｂのメイン基板を兼用することによる基板共通化を図っている。
【００４７】
即ち、図１７はその共通基板３１全体を示し、図１８はその共通基板３１の前端縁３１ａ側を拡大して示したものであって、この前端縁３１ａ上で、図１２及び図１４に示されたセンターＰ１１、Ｐ１２′相当位置にコネクタマウント部６１がプリント配線されている。このコネクタマウント部６１は前述したカードドライブユニット５の駆動回路３３内に配置されていて、前端縁３１ａから後方側（メモリカード挿入方向である矢印ｅ方向）に一定距離Ｌ２だけ偏位された位置にプリント配線されている。
従って、この前端縁３１ａとコネクタマウント部６１との間には一定距離Ｌ２相当分の空きスペース６２が形成されている。
【００４８】
そして、共通基板３１の前端縁３１ａ上で、空きスペース６２内におけるセンターＰ１１、Ｐ１２′上の位置と、それより横側方に偏位された位置であって、前端縁３１ａ上の図１２に示されたセンターＰ１２相当位置との２箇所にボリュームマウント部６３、６４がプリント配線されている。なお、前端縁３１ａ上で、図１２及び図１４に示された各センターＰ１３、Ｐ１４、Ｐ１５及びＰ１６上にはそれぞれＬＥＤマウント部６５、６６、イジェクトスイッチマウント部６７、ヘッドホンジャックマウント部６８がプリント配線されている。従って、共通基板３１の前端縁３１ａ上のセンターＰ１１、Ｐ１２′上に形成されている１つのボリュームマウント部６３はコネクタ３７に対するメモリカード４の差込み用スペース６２を利用して形成されている。
【００４９】
なお、スペース６２内で、コネクタマウント部６１とボリューム６３との間に挿入ガイドマウント部６９が形成されていて、この挿入ガイドマウント部６９の両端には、一対の係止孔６９ａが形成されている。また、共通基板３１の前端縁３１ａで、２つのＬＥＤマウント部６５、６６の前側にはそれぞれＬＥＤレンズ取付け用の切欠き７０、７１が形成されている。
【００５０】
共通基板３１は以上のように構成されていて、この共通基板３１を高機能ディスクドライブ装置１Ａの専用基板３１Ａに組み上げる場合は、図１９に示すように、この共通基板３１のコネクタマウント部６１上にコネクタ３７をマウントする。そして、挿入ガイドマウント部６９の一対の係止孔６９ａに挿入ガイド３８の一対の係止爪３８ａを上方から挿入して係止させるようにして、挿入ガイド３８を挿入ガイドマウント部６９上にマウントする。そして、センターＰ１２上のボリュームマウント部６４上にボリューム２６をマウントする。この際、ボリューム２６はボリューム本体２６ａの上部にボリュームつまみ２６ｂが回転自在に取り付けられていて、ボリューム本体２６ａによってボリュームマウント部６４上にマウントされる。
【００５１】
そして、２つのＬＥＤマウント部６５、６６上に２つのＬＥＤ２７、２８をマウントして、これらの前側の２つの切欠き７０、７１に２つのＬＥＤレンズ２７ａ、２８ａを取り付ける。そして、図１７及び図１９に示すように、高機能ディスクドライブ装置１Ａと低機能ディスクドライブ装置１Ｂに共通のイジェクトスイッチマウント部６７上とヘッドホンジャックマウント部６８上にそれぞれイジェクトスイッチ２３ａとヘッドホンジャック２９をマウントすることにより、この共通基板３１が図１１及び図１２に示された高機能ディスクドライブ装置１Ａの専用基板３１Ａに組み上げられる。
【００５２】
そこで、この高機能ディスクドライブ装置１Ａの専用基板３１Ａを図１６に示すようにドライブ装置本体７内のシャーシ１２の下部に水平状に取り付けた後、フロントパネル８をそのドライブ装置本体７の前面に前方から嵌合させるようにして組み立てると、図１１及び図１２に示すように、コネクタ３７及び挿入ガイド３８のセンターＰ１１上の前方位置にカード挿入口１９が正確に位置決めされる。そして、ボリューム２６のボリュームつまみ２６ｂの外周の一部がセンターＰ１２上でボリューム孔２０内に挿入されて前方に突出される。そして、２つのＬＥＤ２７、２８の前側の２つのＬＥＤレンズ２７ａ、２８ａの先端がそれぞれセンターＰ１３、Ｐ１４上で２つのＬＥＤ（ＬＥＤレンズ）孔２１、２２内に嵌合される。そして、イジェクトスイッチ２３ａがセンターＰ１５上でイジェクト釦２３の背面に近接又は当接され、ヘッドホンジャック２９がセンターＰ１６上でヘッドホンジャック孔２４内に嵌合されて、高機能ディスクドライブ装置１Ａの組み立てが完了する。
【００５３】
次に、この共通基板３１を低機能ディスクドライブ装置１Ｂの専用基板３１Ｂに組み上げる場合は、図２０に示すように、共通基板３１のセンターＰ１２′（Ｐ１１）上のボリュームマウント部６３上に別の電子部品であるボリューム２６をボリューム本体２６ａによってマウントし、センターＰ１３上の１つのＬＥＤマウント部６５上に１つのＬＥＤ２７をマウントして、その前側の１つの切欠き７０に１つのＬＥＤレンズ２７ａを取り付ける。そして、図１７及び図２０に示すように、高機能ディスクドライブ装置１Ａと低機能ディスクドライブ装置１Ｂに共通のイジェクトスイッチマウント部６７上とヘッドホンジャックマウント部６８上にそれぞれイジェクトスイッチ２３ａとヘッドホンジャック２９をマウントすることにより、この共通基板３１が図１３及び図１４に示された低機能ディスクドライブ装置１Ｂの専用基板３１Ｂに組み上げられる。
【００５４】
そこで、この低機能ディスクドライブ装置１Ｂの専用基板３１Ｂを高機能ディスクドライブ装置１Ａの専用基板３１Ａと同様に、ドライブ装置本体７内のシャーシ１２の下部に水平状に取り付けた後、フロントパネル８をそのドライブ装置本体７の前面に前方から嵌合させるようにして組み立てると、図７、図１３及び図１４に示すように、ボリューム２６のボリュームつまみ２６ｂの外周の一部がセンターＰ１２′（Ｐ１１）上でボリューム孔２０内に挿入されて前方に突出される。そして、１つのＬＥＤ２７の前側の２つのＬＥＤレンズ２７ａの先端がセンターＰ１３上でＬＥＤ（ＬＥＤレンズ）孔２１内に嵌合される。そして、イジェクトスイッチ２３ａがセンターＰ１５上でイジェクト釦２３の背面に近接又は当接され、ヘッドホンジャック２９がセンターＰ１６上でヘッドホンジャック孔２４内に嵌合されて、低機能ディスクドライブ装置１Ｂの組み立てが完了する。
【００５５】
この際、特に、図７に示されていて、前述したように、メイン基板３１の前端縁３１ａをフロントパネル８の下端側の背面８ｂに対して小さい距離Ｌ１に接近させて配置させておくことができるので、センターＰ１２′（Ｐ１１）上のボリュームマウント部６３上にマウントしたボリューム２６のボリュームつまみ２６ｂの外周の一部をフロントパネル８のボリューム孔２０内に確実に挿入して、前方へ所定寸法に正確に突出させることができるものである。
【００５６】
つまり、図１０で説明したように、メイン基板３１の前端縁３１ａで、センターＰ１２′（Ｐ１１）上に切欠き４４が形成されていたり、前端縁３１ａがセンターＰ１２′（Ｐ１１）上でフロントパネル８の下端側の内面８ｂから後方に大きな距離Ｌ１０に離間されていたならば、その前端縁３１ａ上にマウントしたボリューム２６のボリュームつまみ２６ｂをフロントパネル８のボリューム孔２０内に正しく挿入させることはできない。
【００５７】
以上述べたように、本発明のディスクドライブ装置は、メイン基板３１上のコネクタマウント部６１の前方の空きスペース６２を利用して、メイン基板３１の有効エリアの拡大を図ることにより、メイン基板３１の前端縁３１ａ上で、その空きスペース６２内と、それより横側方に偏位された位置との複数箇所にボリューム２６等の別の電子部品のマウント部６３、６４を形成することができるように構成したものである。
この結果、高機能ディスクドライブ装置１Ａと低機能ディスクドライブ装置１Ｂに対するメイン基板３１の共通化を図ることに成功したものである。
【００５８】
そして、そのメイン基板３１上にボリューム２６、ＬＥＤ２７、２８、ヘッドホンジャック２９、コネクタ３７及び挿入ガイド３８等の複数種類の電子部品をマウントする際の電子部品の種類の選択及びマウント位置を選択することによって、高機能ディスクドライブ装置１Ａの専用基板３１Ａと、低機能ディスクドライブ装置１Ｂの専用基板３１Ｂとを製造（簡単に組み上げること）することができるように構成したものであり、メイン基板３１の共通化による大幅なコストダウンを実現できるものである。
【００５９】
以上、本発明の実施の形態について説明したが、本発明は上記した実施の形態に限定されることなく、本発明の技術的思想に基づいて各種の変更が可能である。
【００６０】
【発明の効果】
以上のように構成された本発明のディスクドライブ装置は、次のような効果を奏することができる。
【００６１】
請求項１は、フロントパネルのカード挿入口を内側から開閉する開閉扉に回転半径自動変更機構が備えられていて、開閉扉がカード挿入口を閉塞した時には、その開閉扉の回転半径が大きく設定され、開閉扉がカード状記録媒体によって押されて後方上方に回転される時には、その開閉扉の回転半径が小さくなるように変化させるようにして、開閉扉が開放される時に、その開閉扉がプリント配線基板等の障害物と干渉され難いように構成されているので、開閉扉をフロントパネルの内側の狭いスペース内でスムーズに開閉させることができて、カード状記録媒体をカード挿入口からカードドライブユニット内にスムーズに挿入、排出することができることと、開閉扉でカード挿入口を内側から完全密封させることができて、カード挿入口からカードドライブユニット内へのダストの侵入を確実に防止できることとを両立させることができる。そして、カードドライブユニット内へのダストの侵入を確実に防止することができることから、カードドライブユニットのコネクタに対するカード状記録媒体の端子の接続状態を常に良好状態に保つことができるので、カード状記録媒体に対するデータの記録及び／又は再生を常に正確に行える高品質のディスクドライブ装置を実現することができる。
【００６２】
請求項２〜４は、回転半径自動変更機構が、傾斜されたカム孔と支点ピンとの斜め上下方向の相対的な移動によって開閉扉の回転半径を自動的に変化させるようにし、開閉扉の前面に形成した分力発生用斜面を利用して、カード状記録媒体の挿入時に開閉扉を斜め上方に仕上げるようにし、支点ピンの外周に挿入された捩りコイルばねの可動端を開閉扉のカム孔の近傍位置を押圧させてカム孔を支点ピンに対してスムーズに相対移動させるように構成したので、極く簡単な構造でありながら、開閉扉がカード状記録媒体に押し開かれる際に、その開閉扉を支点ピンに対して斜め上方にスムーズに押し上げるようにして、開閉扉の回転を大きい回転半径から小さい回転半径にスムーズに変更させることができる。
【図面の簡単な説明】
【図１】  本発明を適用したディスクドライブ装置における開閉扉の回転半径自動変更機構を説明する要部の拡大断面図であって、回転半径が大きく設定された開閉扉によってカード挿入口を内側から密封している様子を示した図面である。
【図２】  図１と同様の要部の拡大断面図であって、メモリカードによって開閉扉が内側へ押された瞬間に、その開閉扉が斜め後方上方へ押し上げられて、その開閉扉の回転半径が小さく変化した様子を示した図面である。
【図３】  図１と同様の要部の拡大断面図であって、メモリカードによって内側へ押された開閉扉が回転半径が小さいままの状態で後方上方に回転された様子を示した図面である。
【図４】  フロントパネルとメイン基板上のコネクタと開閉扉の位置関係を示した一部切欠き側面図であって、図１と対応させた図面である。
【図５】  図４と同様の一部切欠き側面図であって、図２と対応させた図面である。
【図６】  図４と同様の一部切欠き側面図であって、図３と対応させた図面である。
【図７】  図４と同様の一部切欠き側面図であって、後述する共通基板上におけるコネクタの前方位置にマウントされたボリュームがフロントパネルのボリューム孔内に内側から挿入されている様子を示した図面である。
【図８】  フロントパネルのカード挿入口の内側に一般的な開閉扉を取り付けた時の問題点を説明する要部の拡大断面図である。
【図９】  フロントパネルのカード挿入口の内側に一般的な開閉扉を取り付けた時の問題点を説明する一部切欠き側面図であって、フロントパネルとメイン基板上のコネクタと開閉扉の位置関係を示した図面である。
【図１０】  図１０と同様の一部切欠き側面図であって、メイン基板上のコネクタの前方位置にはボリューム等の別の電子部品をマウントすることができない様子を説明する図面である。
【図１１】  本発明が適用されたディスクドライブユニットとカードドライブユニットとが搭載されている高機能ディスクドライブ装置の外観斜視図である。
【図１２】  図１１の高機能ディスクドライブ装置のフロントパネルの正面図である。
【図１３】  ディスクドライブユニットのみが搭載されていて、本発明の共通基板が適用される低機能ディスクドライブ装置の外観斜視図である。
【図１４】  図１３の低機能ディスクドライブ装置のフロントパネルの正面図である。
【図１５】  本発明の高機能ディスクドライブ装置に適用されるメモリスティク等のメモリカードの上下両面を示した斜視図である。
【図１６】  本発明の高機能ディスクドライブ装置を説明する縦断面側面図である。
【図１７】  本発明の高機能ディスクドライブ装置と低機能ディスクドライブ装置に共通化される共通基板を説明する基板全体の平面図である。
【図１８】  図１７の共通基板の前端縁側を拡大して示した平面図である。
【図１９】  本発明の共通基板によって組み上げられた高機能ディスクドライブ装置の専用基板を説明する平面図である。
【図２０】  本発明の共通基板によって組み上げられた低機能ディスクドライブ装置の専用基板を説明する平面図である。
【符号の説明】
１Ａはディスクドライブ装置、２はディスク状記録媒体であるディスク、３はディスクドライブユニット、４はカード状記録媒体であるメモリカード、５はカードドライブユニット、８はフロントパネル、８ａはフロントパネルの背面、１９はカード挿入口、３１はプリント配線基板であるメイン基板、３１ａはメイン基板の前端縁、５１は開閉扉、５１ａは開閉扉の上端部分、５１ｂは開閉扉の下端部分、５１ｃは開閉扉の背面、５１ｄは開閉扉の前面、５２は捩りコイルばね、５２ａは捩りコイルばねのコイル部、５２ｂは捩りコイルばねの可動端、５２ｃは捩りコイルばねの固定端、５３回転半径自動変更機構、５４はカム孔、５５は支点ピン、５６は分力発生用斜面である。
【図１】
0003931618.tif 000002
【図２】
0003931618.tif 000003
【図３】
0003931618.tif 000004
【図４】
0003931618.tif 000005
【図５】
0003931618.tif 000006
【図６】
0003931618.tif 000007
【図７】
0003931618.tif 000008
【図８】
0003931618.tif 000009
【図９】
0003931618.tif 000010
【図１０】
0003931618.tif 000011
【図１１】
0003931618.tif 000012
【図１２】
0003931618.tif 000013
【図１３】
0003931618.tif 000014
【図１４】
0003931618.tif 000015
【図１５】
0003931618.tif 000016
【図１６】
0003931618.tif 000017
【図１７】
0003931618.tif 000018
【図１８】
0003931618.tif 000019
【図１９】
0003931618.tif 000020
【図２０】
0003931618.tif 000021